(57)【要約】【課題】  印刷を実行させる前に、ユーザに対して用紙設定の過誤を把握させることで、用紙ミスマッチエラーの発生を防止し、ユーザに対する操作負荷の軽減、操作性の向上を図ることが可能な画像処理装置を提供する。【解決手段】  複数の画像形成装置から印刷を実行させる画像形成装置の選択を受付ける第１の設定画面と該第１の設定画面を介して起動され、選択された画像形成装置に対する印刷設定情報の入力、変更を受付ける第２の設定画面とを有する印刷条件設定部と、選択された画像形成装置に適用されている装置用印刷設定情報を取得する装置用印刷設定情報取得部と、第２の設定画面を介して受付けた印刷設定情報と選択された画像形成装置から取得した装置用印刷設定情報とを比較・判断する設定判断部と、印刷設定情報と装置用印刷設定情報とが不一致であると設定判断部により比較・判断された場合、該比較・判断結果を報知する報知部とを備えた画像処理装置。【選択図】  図１
2015207183.tif 000002
【特許請求の範囲】
【請求項１】
複数の画像形成装置から印刷を実行させる画像形成装置の選択を受付ける第１の設定画面と当該第１の設定画面を介して起動され、選択された画像形成装置に対する印刷設定情報の入力、変更を受付ける第２の設定画面とを有する印刷条件設定部と、
選択された前記画像形成装置に適用されている装置用印刷設定情報を取得する装置用印刷設定情報取得部と、
前記第２の設定画面を介して受付けた前記印刷設定情報と選択された前記画像形成装置から取得した前記装置用印刷設定情報とを比較・判断する設定判断部と、
前記印刷設定情報と前記装置用印刷設定情報とが不一致であると前記設定判断部により比較・判断された場合、当該比較・判断結果を報知する報知部とを備えること
を特徴とする画像処理装置。
【請求項２】
前記装置用印刷設定情報取得部は、前記第２の設定画面を介して前記印刷設定情報が入力、変更されるタイミングで選択された前記画像形成装置に適用されている装置用印刷設定情報を取得すること
を特徴とする請求項１に記載の画像処理装置。
【請求項３】
前記報知部は、前記第２の設定画面を介して前記印刷設定情報と前記装置用印刷設定情報とが不一致である旨を報知すること
を特徴とする請求項１に記載の画像処理装置。
【請求項４】
前記装置用印刷設定情報取得部は、前記第２の設定画面が起動されるタイミングで選択された前記画像形成装置に適用されている装置用印刷設定情報を取得すること
を特徴とする請求項１に記載の画像処理装置。
【請求項５】
前記印刷設定情報と前記装置用印刷設定情報とは、印刷に用いる記録媒体のサイズ情報であること
を特徴とする請求項１乃至請求項４の何れか１項に記載の画像処理装置。
【請求項６】
複数の画像形成装置から印刷を実行させる画像形成装置の選択を受付ける第１の設定画面を有する印刷条件設定部と、
選択された前記画像形成装置に適用されている装置用印刷設定情報を取得する装置用印刷設定情報取得部と、
所定のアプリケーションプログラムが提供する第３の設定画面を介してドキュメントデータ用印刷設定情報を受付けた状態で、前記第１の設定画面を介して印刷を実行させる画像形成装置が変更された場合、前記装置用印刷設定情報取得部により取得された画像形成装置に適用されている前記装置用印刷設定情報と、前記第３の設定画面を介して受付けた前記ドキュメントデータ用印刷設定情報とを比較・判断する設定判断部と、
前記装置用印刷設定情報と前記ドキュメントデータ用印刷設定情報とが不一致であると前記設定判断部により比較・判断された場合、当該比較・判断結果を報知する報知部とを備えること
を特徴とする画像処理装置。
【請求項７】
前記報知部は、前記第１の設定画面を介してドキュメントデータ用印刷設定情報と前記装置用印刷設定情報とが不一致である旨を報知すること
を特徴とする請求項６に記載の画像処理装置。
【請求項８】
前記装置用印刷設定情報と前記ドキュメントデータ用印刷設定情報とは、印刷に用いる記録媒体のサイズ情報であること
を特徴とする請求項６に記載の画像処理装置。
【発明の詳細な説明】
【技術分野】
【０００１】
本発明は、画像処理装置に関するものであり、特に、ユーザに対する操作負荷の軽減、操作性の向上に関するものである。
【背景技術】
【０００２】
従来、例えば、文章や図表といったドキュメントを作成、編集するアプリケーションを備えたホストＰＣ（Personal Computer）から画像処理装置に対して印刷を行わせる場合、ユーザはホストＰＣにインストールされたプリンタドライバが提供するプロパティ画面を介して各種設定を行う。そして、画像処理装置は、プリンタドライバが保持する各種設定に基づき、例えば、用紙搬送速度、定着温度等の印刷モードを調整し、適切な印刷プロセスを経ることにより高品位な印刷結果を安定して提供することができる。
【先行技術文献】
【特許文献】
【０００３】
【特許文献１】特開２００７−９４８７６号公報
【発明の概要】
【発明が解決しようとする課題】
【０００４】
しかしながら、従来技術では、ホストＰＣにおいてプロパティ画面を介して指定された用紙（印刷に供する用紙として設定された用紙）が、実際に画像形成装置にセットされている用紙と異なっていた場合、ユーザは、印刷を実行させた後、画像形成得装置に印刷物を取りに行ったときに、初めて用紙ミスマッチエラーが発生しており、用紙設定が間違っていたことを把握することになる。その結果、ユーザはプロパティ画面を介して指定した用紙を変更し、印刷を再度やり直す必要があった。
【０００５】
本発明はこのような実状に鑑みてなされたものであり、本発明の課題は、印刷を実行させる前に、ユーザに対して用紙設定の過誤を把握させることで、用紙ミスマッチエラーの発生を防止し、ユーザに対する操作負荷の軽減、操作性の向上を図ることが可能な画像処理装置を提供することである。
【課題を解決するための手段】
【０００６】
上記課題を解決するために、本発明に係る画像処理装置は、複数の画像形成装置から印刷を実行させる画像形成装置の選択を受付ける第１の設定画面と当該第１の設定画面を介して起動され、選択された画像形成装置に対する印刷設定情報の入力、変更を受付ける第２の設定画面とを有する印刷条件設定部と、選択された前記画像形成装置に適用されている装置用印刷設定情報を取得する装置用印刷設定情報取得部と、前記第２の設定画面を介して受付けた前記印刷設定情報と選択された前記画像形成装置から取得した前記装置用印刷設定情報とを比較・判断する設定判断部と、前記印刷設定情報と前記装置用印刷設定情報とが不一致であると前記設定判断部により比較・判断された場合、当該比較・判断結果を報知する報知部とを備えることを特徴としている。
【０００７】
また、本発明に係る他の画像処理装置は、複数の画像形成装置から印刷を実行させる画像形成装置の選択を受付ける第１の設定画面を有する印刷条件設定部と、選択された前記画像形成装置に適用されている装置用印刷設定情報を取得する装置用印刷設定情報取得部と、所定のアプリケーションプログラムが提供する第３の設定画面を介してドキュメントデータ用印刷設定情報を受付けた状態で、前記第１の設定画面を介して印刷を実行させる画像形成装置が変更された場合、前記装置用印刷設定情報取得部により取得された画像形成装置に適用されている前記装置用印刷設定情報と、前記第３の設定画面を介して受付けた前記ドキュメントデータ用印刷設定情報とを比較・判断する設定判断部と、前記装置用印刷設定情報と前記ドキュメントデータ用印刷設定情報とが不一致であると前記設定判断部により比較・判断された場合、当該比較・判断結果を報知する報知部とを備えることを特徴としている。
【発明の効果】
【０００８】
本発明によれば、印刷を実行させる前に、ユーザに対して用紙設定の過誤を把握させることで、用紙ミスマッチエラーの発生を防止し、ユーザに対する操作負荷の軽減、操作性の向上を図ることが可能な画像処理装置を提供することができる。
【図面の簡単な説明】
【０００９】
【図１】第１の実施形態に係るホストＰＣが接続されて構成された画像処理システムの構成例を説明する図である。
【図２】第１の実施形態に係るホストＰＣの構成を説明する機能ブロック図である。
【図３】第１の実施形態全般の動作を説明するフローチャートである。
【図４】印刷ダイアログの構成例の一例を説明する図である。
【図５】プロパティ画面の構成例の一例を説明する図である。
【図６】プロパティ画面の構成例の一例を説明する図である。
【図７】設定判断部が比較・判断結果表示画面を介して表示する比較・判断結果の表示例である。
【図８】変形例全般の動作を説明するフローチャートである。
【図９】設定判断部が表示画面を介して表示する比較・判断結果の表示例である。
【図１０】アプリケーションが表示させるページ設定画面の一例を説明する図である。
【図１１】第２の実施形態全般の動作を説明するフローチャートである。
【図１２】印刷ダイアログの構成例の一例を説明する図である。
【図１３】印刷動作の実行対象としてのプリンタが変更された場合の印刷ダイアログの例と、設定判断部が表示画面を介して表示する比較・判断結果の表示例である。
【発明を実施するための形態】
【００１０】
以下、本発明の実施形態について図面を参照して説明する。なお、本発明は以下の記述に限定されるものではなく、本発明の要旨を逸脱しない範囲において適宜変更可能である。
【００１１】
［第１の実施形態］
図１は、本実施形態に係る画像処理装置としてのホストＰＣ１００が、例えば、ＬＡＮ（Local Area Network）やＵＳＢ（Universal Serial Bus）といった双方向通信が可能な電気信号線７００を介して接続されることによって形成された画像処理システム１０の構成例を説明する全体構成図である。
【００１２】
図１に示す画像処理システム１０の例において、ホストＰＣ１００，ホストＰＣ２００，ホストＰＣ３００といった複数台のホストＰＣと、画像形成装置たるプリンタ４００，プリンタ５００，プリンタ６００といった複数台のプリンタとは電気信号線７００を介して接続されている。ホストＰＣ１００，ホストＰＣ２００，ホストＰＣ３００には、プリンタ４００，プリンタ５００，プリンタ６００のそれぞれのプリンタにおいて印刷が可能となるように、後述するプリンタドライバが個々にインストールされている。例えば、ホストＰＣ１００を使用するユーザは、プリンタ４００，プリンタ５００，プリンタ６００の何れかのプリンタを用いて印刷を行わせることが可能であり、同様に、ホストＰＣ２００を使用するユーザ、ホストＰＣ３００を使用するユーザもプリンタ４００，プリンタ５００，プリンタ６００の何れかのプリンタを用いて印刷を行わせることができる。
【００１３】
ホストＰＣ１００，ホストＰＣ２００，ホストＰＣ３００のそれぞれは、ハードウェア資源として、少なくとも図示せぬＣＰＵ（Central Processing Unit）等の演算装置と、ＲＡＭ（Random Access Memory），ＲＯＭ（Read Only Memory），ＨＤＤ（Hard Disk Drive）等の記憶装置と、ネットワークインタフェース，ＵＳＢインタフェースといった外部端末との双方向通信を制御する通信装置と、ＣＲＴ（Cathode Ray Tube），ＬＣＤ（Liquid Crystal Display）等の表示装置と、キーボード，マウス等の入力装置とを備え、後述する、記憶装置にインストールされたアプリケーションを介して作成・編集されたドキュメントデータに基づき、プリンタドライバにてプリンタ４００，プリンタ５００，プリンタ６００のそれぞれのプリンタが解釈可能な印刷データを生成することができるように構成されている。
【００１４】
プリンタ４００，プリンタ５００，プリンタ６００のそれぞれは、例えば、電子写真方式の印刷エンジンを備えた画像形成装置であり、ホストＰＣ１００，ホストＰＣ２００，ホストＰＣ３００から送信された印刷データに基づく画像を用紙等の記録媒体に印刷することができるよう構成されている。
【００１５】
図２は、ホストＰＣの構成を説明する機能ブロック図である。本実施形態に係るホストＰＣ１００，ホストＰＣ２００，ホストＰＣ３００の構成は、略同構成とすることができるため、ここでの説明は、ホストＰＣ１００を一例として説明する。
【００１６】
ホストＰＣ１００は、アプリケーション１０１と、プリンタドライバ１０２，プリンタドライバ１０２'，プリンタドライバ１０２''と、通信制御部１０８とを備える。前述したように、アプリケーション１０１と、プリンタドライバ１０２，プリンタドライバ１０２'，プリンタドライバ１０２''とは、図示せぬＨＤＤ等の記憶装置にインストールされ、同じく図示せぬＣＰＵがＲＡＭ上にこれらのプログラムを展開し実行することでその機能が実現される。通信制御部１０８は、前述した図示せぬ通信装置として構成しても良いし、図示せぬＣＰＵが実行するプログラムとして構成してもよい。
【００１７】
アプリケーション１０１は、例えば、文書ファイルの閲覧・編集・印刷を行うためのソフトウェアプログラムであり、対象のドキュメントデータの種類に応じて適切なアプリケーションが選択されて使用される。アプリケージョン１０１の種類としては、例えば、ワードプロセッサ、表計算、そしてＷｅｂブラウザ等を挙げることができる。
【００１８】
プリンタドライバ１０２，プリンタドライバ１０２'，プリンタドライバ１０２''は、プリンタ４００，プリンタ５００，プリンタ６００のそれぞれのプリンタに対応したドライバプログラムであり、アプリケーション１０１を介して作成・編集されたドキュメントデータに基づく印刷データを生成する。プリンタドライバ１０２，プリンタドライバ１０２'，プリンタドライバ１０２''の構成は、略同構成とすることができるため、以後の説明いおいては、プリンタ４００に対応したプリンタドライバ１０２について説明する。プリンタドライバ１０２は、印刷条件設定部１０３と、設定記憶部１０４と、装置用印刷設定情報取得部としての情報取得部１０５と、設定判断部１０６と、印刷データ処理部１０７とを備える。
【００１９】
印刷条件設定部１０３は、一般的に、プリンタプロパティと称される部分であり、例えば、用紙サイズの変更や、両面印刷の設定といったユーザによる操作を受け付け、ユーザが得たい印刷結果となるように印刷条件を設定・変更する。
【００２０】
設定記憶部１０４は、印刷条件設定部１０３により設定・変更された用紙サイズ等の印刷条件を記憶する。
【００２１】
情報取得部１０５は、実際に装置にセットされている記録媒体たる用紙の用紙サイズ等の印刷条件をプリンタ４００から取得する。
【００２２】
設定判断部１０６は、設定記憶部１０４に記憶された印刷条件と、情報取得部１０５により取得されたプリンタ４００の印刷条件とを比較・判断する。なお、設定判断部１０６は、比較・判断結果を報知する報知部としても機能する。
【００２３】
印刷データ処理部１０７は、アプリケーション１０１を介して作成・編集されたドキュメントデータを、設定記憶部１０４に記憶された印刷条件に基づいてプリンタ４００が解釈可能なコマンドに変換することにより印刷データを生成する。
【００２４】
通信制御部１０８は、プリンタドライバ１０２により生成された印刷データをプリンタ４００に送信するために、ホストＰＣ１００とプリンタ４００との間においてデータ送信における通信の制御を行う。
【００２５】
次に、本実施形態に係る動作について図３〜図７を用いて説明する。図３は、本実施形態全般の動作を説明するフローチャートである。図４は、ユーザによる印刷動作の実行を受けて図示せぬ表示装置を介して表示される印刷ダイアログの構成例の一例である。図５及び図６は、印刷ダイアログ内のプロパティボタンの押下を受けて印刷条件設定部１０３が表示させるプロパティ画面の構成例の一例である。図７は、設定判断部１０６が比較・判断結果表示画面を介して表示する比較・判断結果の表示例である。
【００２６】
まず、図３のステップＳ１１において、ユーザは、アプリケーション１０１で作成・編集したドキュメントデータの印刷動作を実行する。具体的には、ユーザは、アプリケーション１０１が備える図示せぬメニュー画面を介し印刷動作の実行に係る印刷コマンドを選択する。印刷コマンドの選択を受けて、アプリケーション１０１は図４に示す第１の設定画面としての印刷ダイアログ４０１を図示せぬ表示装置を介して表示させる。
【００２７】
ここで、アプリケーション１０１が表示させる印刷ダイアログ４０１について説明する。図４に示すように、印刷ダイアログ４０１は、プリンタの選択画面４０２と、ページ範囲指定画面４０３と、部数指定画面４０４と、印刷ボタン４０５と、キャンセルボタン４０６と、適用ボタン４０７と、プロパティボタン４０８と、プリンタの検索ボタン４０９とを備える。
【００２８】
プリンタの選択画面４０２は、電気信号線７００を介して接続されているプリンタの中から印刷動作を実行させるプリンタの選択を受付ける。本実施形態においては、プリンタ４００，プリンタ５００，プリンタ６００の何れかのプリンタが印刷動作の実行対象として選択可能であり、図４に示す印刷ダイアログ４０１の例においては、プリンタ４００が印刷動作の実行対象として選択された例を示している。そして、プリンタの選択画面４０２において選択されたプリンタ４００に対応したプリンタドライバ１０２が、以後の印刷条件の設定に適用されることになる。
【００２９】
ページ範囲指定画面４０３は、印刷するドキュメントデータのページ範囲の指定を受付ける。部数指定画面４０４は、印刷するドキュメントの部数の指定を受付ける。印刷ボタン４０５は、プリンタ選択画面４０２、ページ範囲指定画面４０３、及び部数指定画面４０４に入力された印刷条件を踏まえた上で印刷動作の実行を受付ける。キャンセルボタン４０６は、印刷動作のキャンセルを受付ける。適用ボタン４０７は、プリンタ選択画面４０２、ページ範囲指定画面４０３、及び部数指定画面４０４に入力された印刷条件の適用指示を受付ける。プロパティボタン４０８は、図５以降で説明する第２の設定画面としてのプロパティ画面の表示指示を受付ける。プリンタの検索ボタン４０９は、電気信号線７００を介して接続されているプリンタの検索指示を受付ける。
【００３０】
再び、図３に戻り、ステップＳ１２において、ユーザは印刷ダイアログ４０１内のプロパティボタン４０８を押下（クリック）する。プロパティボタン４０８が押下されると、プリンタドライバ１０２の情報取得部１０５は、実際に装置にセットされている用紙サイズ等の印刷条件をプリンタ４００から取得する（ステップＳ１３）。
【００３１】
そして、印刷条件設定部１０３は、図５に示すプロパティ画面４０８１を図示せぬ表示装置を介して表示させる（ステップＳ１４）。
【００３２】
ここで、印刷条件設定部１０３が表示させるプロパティ画面４０８１について説明する。図５に示すように、プロパティ画面４０８１は、用紙サイズ選択画面４０８２と、比較・判断結果表示画面４０８３と、ＯＫボタン４０８４と、キャンセルボタン４０８５とを備える。
【００３３】
用紙サイズ選択画面４０８２は、印刷に用いる用紙サイズの選択を受付ける。図６に示すように、ユーザにより所定の用紙サイズが選択され、ＯＫボタン４０８４が押下されると、印刷条件設定部１０３は、選択された用紙サイズの情報を印刷条件として設定記憶部１０４に記憶させる。
【００３４】
比較・判断結果表示画面４０８３は、設定記憶部１０４に記憶された印刷条件と、情報取得部１０５により取得されたプリンタ４００の印刷条件との設定判断部１０６による比較・判断結果を表示する。
【００３５】
ＯＫボタン４０８４は、用紙サイズ選択画面４０８２で選択された所定の用紙サイズ、その他プロパティ画面４０８１で例示するドキュメントオプション等において選択された各種印刷条件の決定を受付ける。キャンセルボタン４０８５は、用紙サイズ選択画面４０８２で選択された所定の用紙サイズ、その他プロパティ画面４０８１で例示するドキュメントオプション等において選択された各種印刷条件のキャンセルを受付ける。
【００３６】
再び、図３に戻り、プロパティ画面４０８１の用紙サイズ選択画面４０８２において、印刷に用いる印刷設定情報としての用紙サイズが選択され、用紙サイズが切り替えられた場合（ステップＳ１５  Ｙｅｓ）、設定判断部１０６は、ステップＳ１３においてプリンタ４００から取得した実際に装置にセットされている用紙サイズ等の装置用印刷設定情報としての印刷条件と、ステップＳ１５において用紙サイズが切り替えられたときの用紙サイズとが一致しているか否かを比較・判断する（ステップＳ１６）。
【００３７】
そして、設定判断部１０６による比較・判断結果を表示する設定となっていた場合（ステップＳ１７  Ｙｅｓ）、設定判断部１０６は当該比較・判断結果を比較・判断結果表示画面４０８３を介して表示させる（ステップＳ１８）。なお、比較結果は、一致又は不一致の何れかの場合を表示する形態としても良いし、不一致の場合のみ表示する形態としても良い。
【００３８】
図７は、図３のステップＳ１５において、ユーザにより用紙サイズとしてＡ３が選択されたものの、プリンタ４００にはＡ３サイズの用紙がセットされていない場合に、設定判断部１０６が比較・判断結果表示画面４０８３を介して表示する比較・判断結果の表示例を示した図である。
【００３９】
［変形例］
図３のフローチャートで説明した動作において、設定判断部１０６は、ユーザにより用紙サイズが選択され、用紙サイズが切り替えられたときに、プリンタ４００から取得した実際に装置にセットされている用紙サイズ等の印刷条件との比較・判断を行う構成であった。本変形例では、ユーザにより印刷ダイアログ４０１内のプロパティボタン４０８が押下され、プロパティ画面４０８１が表示される前のタイミングで、設定判断部１０６はプリンタ４００から取得した実際に装置にセットされている用紙サイズ等の印刷条件との比較・判断を行う構成について説明する。
【００４０】
図８は、本変形例全般の動作を説明するフローチャートである。まず、図８のステップＳ２１において、ユーザは、アプリケーション１０１で作成・編集したドキュメントデータの印刷動作を実行する。具体的には、ユーザは、アプリケーション１０１が備える図示せぬメニュー画面を介し印刷動作の実行に係る印刷コマンドを選択する。印刷コマンドの選択を受けて、アプリケーション１０１は図４に示す印刷ダイアログ４０１を図示せぬ表示装置を介して表示させる。
【００４１】
次に、ステップＳ２２において、ユーザは印刷ダイアログ４０１内のプロパティボタン４０８を押下（クリック）する。プロパティボタン４０８が押下されると、プリンタドライバ１０２の情報取得部１０５は、実際に装置にセットされている用紙サイズ等の印刷条件をプリンタ４００から取得する（ステップＳ２３）。
【００４２】
そして、設定判断部１０６は、ステップＳ２３においてプリンタ４００から取得した実際に装置にセットされている用紙サイズ等の印刷条件と、設定記憶部１０４に記憶されている、すなわち、プリンタプロパティが保持する用紙サイズとが一致しているか否かを比較・判断する（ステップＳ２４）。
【００４３】
そして、設定判断部１０６による比較・判断結果を表示する設定となっていた場合（ステップＳ２５  Ｙｅｓ）、設定判断部１０６は当該比較・判断結果を、例えば、図９に示す表示画面４１０を介して表示させる（ステップＳ２６）。なお、比較結果は、一致又は不一致の何れかの場合を表示する形態としても良いし、不一致の場合のみ表示する形態としても良い。
【００４４】
図９は、図８のステップＳ２４において、プリンタプロパティが保持する用紙サイズと、プリンタ４００にセットされている用紙サイズとが不一致である場合に、設定判断部１０６が表示画面４１０を介して表示する比較・判断結果の表示例を示した図である。
【００４５】
設定判断部１０６による比較・判断結果後、印刷条件設定部１０３は、図５に示すプロパティ画面４０８１を図示せぬ表示装置を介して表示させる（ステップＳ２７）。これにより、ユーザは、プロパティ画面４０８１が表示されるタイミングよりも前に用紙サイズが一致しているか否かを把握することができる。
【００４６】
以上のように、第１の実施形態によれば、実際に印刷を実行させる前に、ユーザに対して用紙設定の過誤を把握させることで、用紙ミスマッチエラーの発生を防止し、ユーザに対する操作負荷の軽減、操作性の向上を図ることができる。
【００４７】
［第２の実施形態］
第２の実施形態においては、所定のアプリケーションが有するページ設定画面を介して所定の用紙サイズが選択された状態において、印刷動作の実行対象たるプリンタが変更された場合においても、用紙ミスマッチエラーの発生を防止し、ユーザに対する操作負荷の軽減、操作性の向上を図ることが可能な形態について説明する。なお、本実施形態の説明において、第１の実施形態と同一な構成並びに動作については説明を省略する。
【００４８】
図１０は、アプリケーション１０１が表示させる第３の設定画面としてのページ設定画面４３０の一例を説明する図である。ページ設定画面４３０は、ユーザがアプリケーション１０１を介して作成・編集するドキュメントデータの印刷に用いる用紙サイズをドキュメントデータ用印刷設定情報として選択する際に表示される設定画面であり、本実施形態においては、用紙サイズ選択画面４３１と、印刷の向き選択画面４３２と、ＯＫボタン４３３と、キャンセルボタン４３４とを備える。
【００４９】
用紙サイズ選択画面４３１は、アプリケーション１０１を介して作成・編集するドキュメントデータの印刷に用いる用紙サイズの選択を受け付ける。印刷の向き選択画面４３２は、用紙サイズ選択画面４３１を介して選択された用紙に対するドキュメントデータの印刷向きの選択を受け付ける。ＯＫボタン４３３は、用紙サイズ選択画面４３１で選択された用紙サイズ、印刷の向き選択画面４３２で選択された印刷の向きの決定を受け付ける。キャンセルボタン４３４は、用紙サイズ選択画面４３１で選択された用紙サイズ、印刷の向き選択画面４３２で選択された印刷の向きのキャンセルを受け付ける。
【００５０】
次に、ページ設定画面４３０を介して所定の用紙サイズが選択された状態において、本実施形態に係る動作について図１１〜図１３を用いて説明する。図１１は、本実施形態全般の動作を説明するフローチャートである。図１２は、ユーザによる印刷動作の実行を受けて図示せぬ表示装置を介して表示される印刷ダイアログの構成例の一例である。図１３は、印刷動作の実行対象としてのプリンタが変更された場合の印刷ダイアログの例と、設定判断部が表示画面を介して表示する比較・判断結果の表示例である。
【００５１】
まず、図１１のステップＳ３１において、ユーザは、アプリケーション１０１で作成・編集したドキュメントデータの印刷動作を実行する。具体的には、ユーザは、アプリケーション１０１が備える図示せぬメニュー画面を介し印刷動作の実行に係る印刷コマンドを選択する。印刷コマンドの選択を受けて、アプリケーション１０１は図１２に示す印刷ダイアログ４１１を図示せぬ表示装置を介して表示させる。
【００５２】
ここで、アプリケーション１０１が表示させる印刷ダイアログ４１１について説明する。図１２に示すように、印刷ダイアログ４１１は、プリンタの選択画面４１２と、ページ範囲指定画面４１３と、部数指定画面４１４と、印刷ボタン４１５と、キャンセルボタン４１６と、適用ボタン４１７と、プロパティボタン４１８と、プリンタの検索ボタン４１９とを備える。
【００５３】
プリンタの選択画面４１２は、電気信号線７００を介して接続されているプリンタの中から印刷動作を実行させるプリンタの選択を受付ける。本実施形態においては、プリンタ４００，プリンタ５００，プリンタ６００の何れかのプリンタが印刷動作の実行対象として選択可能である。
【００５４】
ページ範囲指定画面４１３は、印刷するドキュメントデータのページ範囲の指定を受付ける。部数指定画面４１４は、印刷するドキュメントの部数の指定を受付ける。印刷ボタン４１５は、プリンタ選択画面４１２、ページ範囲指定画面４１３、及び部数指定画面４１４に入力された印刷条件を踏まえた上で印刷動作の実行を受付ける。キャンセルボタン４１６は、印刷動作のキャンセルを受付ける。適用ボタン４１７は、プリンタ選択画面４１２、ページ範囲指定画面４１３、及び部数指定画面４１４に入力された印刷条件の適用指示を受付ける。プロパティボタン４１８は、プロパティ画面の表示指示を受付ける。プリンタの検索ボタン４１９は、電気信号線７００を介して接続されているプリンタの検索指示を受付ける。
【００５５】
再び、図１１に戻り、ユーザは印刷ダイアログ４１１内のプリンタの選択画面４１２を介して印刷動作を実行させるプリンタを選択する。図１３に示す印刷ダイアログ４１１の例は、印刷動作の実行対象としてのプリンタがユーザによりプリンタ４００からプリンタ５００に変更された例を示している。そして、プリンタの選択画面４１２において選択されたプリンタ５００に対応したプリンタドライバ１０２'が、以後の印刷条件の設定に適用されることになる（ステップＳ３２）。
【００５６】
ステップＳ３２において、プリンタドライバが切り替えられると、プリンタドライバ１０２'の情報取得部１０５は、実際に装置にセットされている用紙サイズ等の印刷条件をプリンタ５００から取得する（ステップＳ３３）。
【００５７】
次に、設定判断部１０６は、ステップＳ３３においてプリンタ５００から取得した実際に装置にセットされている用紙サイズ等の印刷条件と、ページ設定画面４３０を介して選択された所定の用紙サイズとが一致しているか否かを比較・判断する（ステップＳ３４）。そして、設定判断部１０６による比較・判断結果を表示する設定となっていた場合（ステップＳ３５  Ｙｅｓ）、図１３に示すように、設定判断部１０６は当該比較・判断結果を印刷ダイアログ４１１が表示されている同一ＰＣ画面上に表示画面４２０を介して表示させる（ステップＳ３６）。なお、比較結果は、一致又は不一致の何れかの場合を表示する形態としても良いし、不一致の場合のみ表示する形態としても良い。
【００５８】
図１３に示す表示画面４２０は、ページ設定画面４３０を介して選択された所定の用紙サイズがＡ４であったものの、プリンタ５００にはＡ４サイズの用紙がセットされていない場合に、設定判断部１０６が表示する比較・判断結果の表示例を示した図である。
【００５９】
以上のように、第２の実施形態によれば、プリンタドライバを切り替えたときに、プリンタにセットされている用紙サイズを把握することができ、把握した用紙サイズに基づきプリンタドライバ上で用紙サイズ設定を行うことが可能であるため、用紙ミスマッチエラーの発生を防止し、ユーザに対する操作負荷の軽減、操作性の向上を図ることができる。
【００６０】
本発明は、プリンタドライバを備えた画像処理装置全般に適用可能である。
【符号の説明】
【００６１】
１００，２００，３００  ホストＰＣ
４００，５００，６００  プリンタ
７００  電気信号線
１０１  アプリケーション
１０２，１０２'，１０２''  プリンタドライバ
１０３  印刷条件設定部
１０４  設定記憶部
１０５  情報取得部
１０６  設定判断部
１０７  印刷データ処理部
１０８  通信制御部
【図１】
2015207183.tif 000003
【図２】
2015207183.tif 000004
【図３】
2015207183.tif 000005
【図４】
2015207183.tif 000006
【図５】
2015207183.tif 000007
【図６】
2015207183.tif 000008
【図７】
2015207183.tif 000009
【図８】
2015207183.tif 000010
【図９】
2015207183.tif 000011
【図１０】
2015207183.tif 000012
【図１１】
2015207183.tif 000013
【図１２】
2015207183.tif 000014
【図１３】
2015207183.tif 000015